(57)【要約】【課題】  ＰＯＳアプリケーションの大幅な改変を必要とすることなく、１の端末で２以上の制御装置に接続されたデバイスを利用可能なＰＯＳシステムおよびＰＯＳシステムの制御方法を提供する。【解決手段】  データの入出力を制御する第１プリンター２Ａと、データの入出力を制御する第２プリンター２Ｂと、第２プリンター２Ｂに接続され、電子決済媒体からデータを読み取るカードリーダー４と、ＰＯＳアプリケーション５２および決済アプリケーション５３を制御する制御部１１０、ＰＯＳアプリケーション５２で処理されたデータを第１プリンター２Ａに送信し、決済アプリケーション５３から出力されたデータを第２プリンター２Ｂに送信する通信部１２０、を有するタブレット端末１と、を備えた。【選択図】図３
2015201025.tif 000002
【特許請求の範囲】
【請求項１】
会計処理を行うＰＯＳアプリケーションおよび決済処理を行う決済アプリケーションを制御する制御部、及び前記ＰＯＳアプリケーションで処理された会計処理データの送信と前記決済アプリケーションで出力された決済処理データの送信とを行う通信部を有する端末と、
前記会計処理データを受信して制御を行う第１の制御装置と、
前記決済処理データを受信して制御を行う第２の制御装置と、
前記第２の制御装置に接続され、データの入力もしくは出力を行うデバイスと、
を備えることを特徴とするＰＯＳシステム。
【請求項２】
前記第１の制御装置は、前記端末から受信した前記会計処理データに基づいてレシートを印刷する印刷部を有する請求項１に記載のＰＯＳシステム。
【請求項３】
前記第２の制御装置と通信する決済サーバーを備え、
前記第２の制御装置は、前記決済サーバーと通信する通信部を有し、前記端末で受信した前記決済処理データおよび前記デバイスから入力された前記データに基づいて、前記決済サーバーとの決済取引を行う請求項１または２に記載のＰＯＳシステム。
【請求項４】
前記データは、クレジット情報または電子マネー情報であり、
前記デバイスは、前記クレジット情報または前記電子マネー情報を読み取る読取部を有する請求項３に記載のＰＯＳシステム。
【請求項５】
前記第２の制御装置は、前記決済処理データと前記クレジット情報または前記電子マネー情報とを関連付けて前記決済サーバーに送信する請求項４に記載のＰＯＳシステム。
【請求項６】
前記第２の制御装置の前記通信部は、前記決済サーバーでの前記決済取引の結果を受信し、受信した前記決済取引の結果を前記端末に送信する請求項３ないし５のいずれか１項に記載のＰＯＳシステム。
【請求項７】
端末のＰＯＳアプリケーションで処理された会計処理データを、第１の制御装置に送信し、
前記端末の決済アプリケーションで出力された決済処理データを、データの入力または出力を行うデバイスと接続された第２の制御装置に送信することを特徴とするＰＯＳシステムの制御方法。
【発明の詳細な説明】
【技術分野】
【０００１】
本発明は、端末と、端末と接続されデータの入出力を制御する制御装置と、制御装置と接続されデータの入力または出力を行うデバイスと、を備えたＰＯＳ（Point  Of  Sale）システムおよびＰＯＳシステムの制御方法に関する。
【背景技術】
【０００２】
この種の技術として、例えば特許文献１が提案されている。特許文献１には、ＰＯＳ端末として機能するタブレット端末と、タブレット端末と接続されデータの入出力を制御するプリンターと、プリンターと接続されデータの入力または出力を行うデバイス（カスタマーディスプレー、カードリーダー、バーコードスキャナー、キャッシュドロワー）と、を備えたＰＯＳシステムが記載されている。この場合、タブレット端末とプリンターは、１対１で対応している。
【先行技術文献】
【特許文献】
【０００３】
【特許文献１】特開２０１３−１８６４８８号公報
【発明の概要】
【発明が解決しようとする課題】
【０００４】
ところで、特許文献１に記載のＰＯＳシステムにおいて、第１のプリンターに上記のデバイスが接続され、第２のプリンターに電子決済（クレジットカード決済や電子マネー決済）を行うカードリーダーが接続されている場合、第１のプリンターに接続された端末で電子決済取引を行おうとすると、第２のプリンターに接続されているカードリーダーを、第１のプリンターに接続し直さなければならない。もちろん、第１のプリンターにカードリーダーを含む全てのデバイスを接続できれば良いが、インターフェース数の問題もあるため、現状は、プリンターごとに機能を分ける必要が生じる。
また、端末、第１のプリンターおよび第２のプリンターをネットワーク接続して、端末から第２のプリンターにコマンドを送信できるようにすることも考えられるが、端末にインストールされているＰＯＳアプリケーションを改変しなければならずコストがかかってしまう。
【０００５】
本発明は、上記の問題点に鑑み、ＰＯＳアプリケーションの大幅な改変を必要とすることなく、１の端末で２以上の制御装置に接続されたデバイスを利用可能なＰＯＳシステムおよびＰＯＳシステムの制御方法を提供することを課題とする。
【課題を解決するための手段】
【０００６】
本発明のＰＯＳシステムは、会計処理を行うＰＯＳアプリケーションおよび決済処理を行う決済アプリケーションを制御する制御部、及びＰＯＳアプリケーションで処理された会計処理データの送信と決済アプリケーションで出力された決済処理データの送信とを行う通信部を有する端末と、会計処理データを受信して制御を行う第１の制御装置と、決済処理データを受信して制御を行う第２の制御装置と、第２の制御装置に接続され、データの入力もしくは出力を行うデバイスと、を備えることを特徴とする。
【０００７】
本発明のＰＯＳシステムの制御方法は、端末のＰＯＳアプリケーションで処理された会計処理データを、第１の制御装置に送信し、端末の決済アプリケーションで出力された決済処理データを、データの入力または出力を行うデバイスと接続された第２の制御装置に送信することを特徴とする。
【０００８】
本発明の構成によれば、アプリケーションによって、データの送信先が決まっているため、ＰＯＳアプリケーションによってコマンドを生成する都度、送信先を指定する必要がない。これにより、ＰＯＳアプリケーションの大幅な改変を必要とすることなく、１の端末で２以上の制御装置に接続されたデバイス（第２の制御装置に接続されたデバイスを含む）を用いることができる。
【０００９】
上記のＰＯＳシステムにおいて、第１の制御装置は、端末から受信した会計処理データに基づいてレシートを印刷する印刷部を有することが好ましい。
【００１０】
本発明の構成によれば、会計レシートを印刷するプリンターを第１の制御装置として用いることができ、端末から印刷部を操作することができる。
【００１１】
上記のＰＯＳシステムにおいて、第２の制御装置と通信する決済サーバーを備え、第２の制御装置は、決済サーバーと通信する通信部を有し、端末で受信した決済処理データおよびデバイスから入力されたデータに基づいて、決済サーバーとの決済取引を行うことが好ましい。
【００１２】
本発明の構成によれば、第２の制御装置により決済サーバーと通信するため、通信装置を別途設ける必要がない。また、第２の制御装置で、データの入力や、電子決済サーバーとの通信を行うため、端末側の制御負荷を軽減できる。
【００１３】
上記のＰＯＳシステムにおいて、上記データは、クレジット情報または電子マネー情報であり、デバイスは、クレジット情報または電子マネー情報を読み取る読取部を有することが好ましい。
【００１４】
上記のＰＯＳシステムにおいて、第２の制御装置は、決済処理データとクレジット情報または電子マネー情報とを関連付けて決済サーバーに送信することが好ましい。
【００１５】
上記のＰＯＳシステムにおいて、第２の制御装置の通信部は、決済サーバーでの決済取引の結果を受信し、受信した決済取引の結果を端末に送信することが好ましい。
【００１６】
本発明の構成によれば、ＰＯＳアプリケーションの大幅な改変を必要とすることなく、電子決済機能（クレジットカード決済機能または電子マネー決済機能）を導入することができる。
【図面の簡単な説明】
【００１７】
【図１】本発明の一実施形態に係るＰＯＳシステムのシステム構成図である。
【図２】ＰＯＳシステムのソフトウェア構成を示すブロック図である。
【図３】ＰＯＳシステムの機能構成を示すブロック図である。
【図４】タブレット端末の画面遷移図である。
【図５】ＰＯＳシステムによる会計処理の流れを示すフローチャートである。
【発明を実施するための形態】
【００１８】
以下、本発明の一実施形態に係るＰＯＳシステムおよびＰＯＳシステムの制御方法について、添付図面を参照しながら詳細に説明する。図１は、ＰＯＳシステムＳＹのシステム構成図である。ＰＯＳシステムＳＹは、店員が操作するタブレット端末１（端末）と、タブレット端末１と店舗内ＬＡＮ８を介して接続された第１プリンター（第１の制御装置）２Ａおよび第２プリンター（第２の制御装置）２Ｂと、第２プリンター２Ｂとインターネット９を介して接続された電子決済サーバー（決済サーバー）３と、を備えている。また、ＰＯＳシステムＳＹは、第１プリンター２Ａに接続されたカスタマーディスプレー５、バーコードスキャナー６およびキャッシュドロワー７と、第２プリンター２Ｂに接続されたカードリーダー４（デバイス）と、を備えている。
【００１９】
タブレット端末１は、端末制御機構１１、タッチパネル１２およびインターフェース１３（同図では、「Ｉ／Ｆ」と図示）を有している。端末制御機構１１は、ＣＰＵ（Central  Processing  Unit）、ＲＯＭ（Read  Only  Memory）およびＲＡＭ（Random  Access  Memory）を含み、タブレット端末１を制御する。
【００２０】
タッチパネル１２は、ディスプレー機能付きタッチセンサーであり、入力された商品情報や決済処理結果など各種情報の表示および各種操作に用いられる。インターフェース１３は、無線ＬＡＮ等の無線通信に対応しており、不図示のアクセスポイントを介して店舗内ＬＡＮ８に接続され、店舗内ＬＡＮ８を介してプリンター２Ａ，２Ｂのインターフェース２３，３３とデータの送受信を行う。
【００２１】
第１プリンター２Ａは、プリンター制御機構２１、プリンターユニット２２の他、インターフェース２３，２４を有している。プリンター制御機構２１は、ＣＰＵ、ＲＯＭおよびＲＡＭを含み、第１プリンター２Ａを制御する。プリンターユニット２２は、印刷ヘッド、用紙搬送機構および用紙切断機構を含み、レシート用紙への印刷を行う。
【００２２】
インターフェース２３は、店舗内ＬＡＮ８を介してタブレット端末１と通信を行う。また、インターフェース２４は、周辺機器５，６，７との有線／無線通信を行う。
【００２３】
第２プリンター２Ｂは、プリンター制御機構３１、プリンターユニット３２の他、インターフェース３３，３４を有している。プリンター制御機構３１は、ＣＰＵ、ＲＯＭおよびＲＡＭを含み、第２プリンター２Ｂを制御する。プリンターユニット３２は、印刷ヘッド、用紙搬送機構および用紙切断機構を含み、レシート用紙への印刷を行う。
【００２４】
インターフェース３３は、店舗内ＬＡＮ８を介してタブレット端末１との通信を行う。インターフェース３４は、カードリーダー４との有線／無線通信を行う。また、インターフェース３５は、インターネット９を介して電子決済サーバー３との通信を行う。
【００２５】
電子決済サーバー３は、クレジットカードや電子マネー等の電子決済を行う。「電子決済」とは、例えばクレジットカード決済の場合、決済金額およびクレジット情報（カード番号、有効期限等）を含む電子決済情報の受信、クレジットカードの認証、セキュリティー対策処理、決済金額の精算、決済実行結果の通知、などを指す。また、電子マネー決済の場合、決済金額および電子マネー情報（電子マネーＩＤ、残高等）を含む電子決済情報の受信、電子マネーの認証、セキュリティー対策処理、残高更新処理、決済実行結果の通知、などを指す。
【００２６】
カードリーダー４は、クレジットカードや電子マネー（以下、「電子決済媒体」と称する）のデータを読み取り、第２プリンター２Ｂに出力する。具体的には、ＣＡＴやＲ／Ｗに相当する。なお、電子マネーについては、カード状媒体のみならず、携帯電話等に組み込まれた電子マネー用無線ＩＣの読み取りも可能とする。
【００２７】
カスタマーディスプレー５は、顧客に提示すべき情報（商品名や会計金額など）を表示する。バーコードスキャナー６は、商品に貼付または印刷された商品バーコードを読み取る。キャッシュドロワー７は、紙幣や貨幣を収納し、会計処理の終了（現金決済の場合）に伴ってドロワーが開く構成となっている。
【００２８】
次に、図２を参照し、ＰＯＳシステムＳＹのソフトウェア構成について説明する。タブレット端末１は、主なソフトウェアとして、ＯＳ５１（Operating  System）と、ＯＳ５１で動作するＰＯＳアプリケーション５２および決済アプリケーション５３がインストールされている。図１の端末制御機構１１は、主にこれらのソフトウェア５１，５２，５３に基づいて動作する。
【００２９】
ＰＯＳアプリケーション５２は、会計処理を行うアプリケーションである。ここで「会計処理」とは、商品情報（商品バーコード、数量など）の取得、会計金額の算出、現金決済、決済アプリケーション５３への電子決済指令、会計レシートの印刷指令、カスタマーディスプレー５の表示指令、キャッシュドロワー７の開放指令などを指す。ＰＯＳアプリケーション５２は、店舗によってカスタマイズされている。例えば、タブレット端末１に表示する表示画面の表示フォーマット、会計レシートの印刷フォーマット、会計レシートに印刷する店舗ロゴ、カスタマーディスプレー５への表示項目、などがカスタマイズされる。
【００３０】
一方、決済アプリケーション５３は、電子決済媒体の決済処理を行うアプリケーションである。ここで「決済処理」とは、電子決済サーバー３への電子決済情報の送信指令、電子決済サーバー３の決済実行結果に基づく処理（ＰＯＳアプリケーション５２への通知、リトライ処理を含む）などを指す。決済アプリケーション５３は、店舗ごとにカスタマイズされるのではなく、汎用的に用いられる。
【００３１】
第１プリンター２Ａは、ｅＰＯＳデバイス６１が組み込まれている。図１のプリンター制御機構２１は、主にこれに基づいて動作する。
【００３２】
ｅＰＯＳデバイス６１（制御装置）は、タブレット端末１からの指令に基づいて、各周辺機器５，６，７やプリンターユニット２２に対応したデバイス制御オブジェクトを生成し、これらを制御する。例えば、ＰＯＳアプリケーション５２からの表示指令に基づいてカスタマーディスプレー５に商品名等を表示させる制御、バーコードスキャナー６の読取結果をＰＯＳアプリケーション５２に送信する制御、ＰＯＳアプリケーション５２からの開放指令に基づいてキャッシュドロワー７のドロアーを開く制御、ＰＯＳアプリケーション５２からの印刷指令に基づいてプリンターユニット２２を動作させる制御、などを行う。
【００３３】
第２プリンター２Ｂは、ｅＰＯＳデバイス７１および電子決済制御モジュール７２が組み込まれている。図１のプリンター制御機構３１は、主にこれらに基づいて動作する。
【００３４】
ｅＰＯＳデバイス７１は、タブレット端末１からの指令に基づいて、カードリーダー４やプリンターユニット３２に対応したデバイス制御オブジェクトを生成し、これらを制御する。ｅＰＯＳデバイス７１は、決済アプリケーション５３から決済処理開始指令を受信すると、電子決済制御モジュール７２に対し、これを転送する。
【００３５】
電子決済制御モジュール７２は、カードリーダー４の制御を目的として組み込まれたモジュールである。例えば、ｅＰＯＳデバイス７１から決済処理開始指令が転送されると、カードリーダー４を読み取り可能な状態とし、カードリーダー４によるデータの読み取りを待つ。また、複数の電子決済媒体に対応し、それらのブランドの違いを吸収する。
【００３６】
また、電子決済制御モジュール７２は、電子決済サーバー３との通信制御を行う。具体的には、カードリーダー４で読み取ったデータと、決済アプリケーション５３から受信した決済金額とを含む電子決済情報を電子決済サーバー３に送信する。その後、電子決済サーバー３で正常に決済が完了した場合は、カードリーダー４のＬＥＤ（図示省略）を点灯させてカード退避許可表示を行ったり、ｅＰＯＳデバイス７１を介して決済アプリケーション５３に決済完了通知を送信したり、などの制御を行う。また、電子決済サーバー３で正常に決済が完了できなかった場合は、カードリーダー４のＬＥＤを点滅させてエラー表示を行ったり、ｅＰＯＳデバイス７１を介して決済アプリケーション５３にエラー表示（タッチパネル１２への表示）を行わせたり、などの制御を行う。このように、電子決済専用のモジュールを組み込むことで、電子決済サービスが追加・変更された場合、電子決済制御モジュール７２を交換することで（第２プリンター２Ｂ自体の交換を必要とすることなく）対応することができる。
【００３７】
次に、図３を参照し、ＰＯＳシステムＳＹの機能構成について説明する。タブレット端末１は、主な機能構成として、制御部１１０および通信部１２０を有している。制御部１１０は、ＰＯＳアプリケーション５２および決済アプリケーション５３を制御する。例えば、制御部１１０は、電子決済サーバー３から決済アプリケーション５３への決済完了通知を受けて、決済アプリケーション５３の処理を終了させる（休止またはスリープ状態とする）。また、決済アプリケーション５３の処理終了に伴って、ＰＯＳアプリケーション５２を起動し、会計レシートを印刷する印刷コマンドを生成させる。このように、制御部１１０は、処理能力の低いＣＰＵでも支障なく対応できるように、ＰＯＳアプリケーション５２と決済アプリケーション５３の切り替え処理を行う。
【００３８】
通信部１２０は、ＰＯＳアプリケーション５２で処理されたデータを第１プリンター２Ａに送信し、決済アプリケーション５３から出力されたデータを第２プリンター２Ｂに送信する。具体的には、通信部１２０は、第１プリンター２Ａに対し、ＰＯＳアプリケーション５２で生成された、会計レシートを印刷する印刷コマンド、決済処理結果を表示する表示コマンド、キャッシュドロワー７を開放する開放コマンドを送信する。印刷コマンドおよび表示コマンドには、会計金額（会計処理データ）が含まれている。一方、通信部１２０は、第２プリンター２Ｂに対し、決済アプリケーション５３で生成された、電子決済情報を電子決済サーバー３に送信する電子決済情報送信コマンドを送信する。電子決済情報送信コマンドには、決済金額（決済処理データ）および決済方法が含まれている。
【００３９】
第１プリンター２Ａは、主な機能構成として、ディスプレー制御部１５０、ドロワー制御部１６０および印刷部１７０を有している。ディスプレー制御部１５０は、ＰＯＳアプリケーション５２で生成された表示コマンドに基づいてカスタマーディスプレー５を制御し、カスタマーディスプレー５に表示を行わせる。
【００４０】
ドロワー制御部１６０は、ＰＯＳアプリケーション５２で生成された開放コマンドに基づいてキャッシュドロワー７を制御し、キャッシュドロワー７に開放動作を行わせる。印刷部１７０は、ＰＯＳアプリケーション５２で生成された印刷コマンドに基づいて印刷を行う。
【００４１】
第２プリンター２Ｂは、主な機能構成として、第１通信部（通信部）２１０、第２通信部２２０および入力部２３０を有している。第１通信部２１０は、決済アプリケーション５３で生成された電子決済情報送信コマンドに基づいて、これに含まれた決済金額と、入力部２３０の入力結果とを電子決済サーバー３に送信する。これにより、電子決済サーバー３との決済取引を行う。第２通信部２２０は、電子決済サーバー３の処理結果（決済取引の結果）を決済アプリケーション５３に送信する。入力部２３０は、カードリーダー４によって読み取られたデータを入力する。
【００４２】
電子決済サーバー３は、主な機能構成として、電子決済処理部３１０を有している。電子決済処理部３１０は、上述した「電子決済」に係る処理を行う。また、カードリーダー４は、主な機能構成として、読取部４１０を有している。読取部４１０は、磁気リーダーや近距離無線通信により、電子決済媒体からデータを読み取る。すなわち、クレジットカードからクレジット情報を読み取り、電子マネー媒体から電子マネー情報を読み取る。
【００４３】
次に、図４を参照し、タブレット端末１のタッチパネル１２に表示される画面について説明する。同図において、符号Ｄ１，Ｄ４は、ＰＯＳアプリケーション５２による表示画面を示し、符号Ｄ２，Ｄ３は、決済アプリケーション５３による表示画面を示している。以下、会計処理の流れにしたがって、タッチパネル１２の画面遷移を説明する。
【００４４】
まず、符号Ｄ１に示すように、ＰＯＳアプリケーション５２は、タブレット端末１への商品情報の入力完了に伴い、決済方法を選択する画面を表示する。ここで、現金決済の場合は、店員の所定の操作により、決済アプリケーション５３を起動することなく、ＰＯＳアプリケーション５２で会計処理を完結させる。また、決済方法として、「クレジット」ボタン８１または「電子マネー」ボタン８２が選択された場合は、決済アプリケーション５３を起動してＰＯＳアプリケーション５２を終了する。本例では、符号Ｄ１に示す画面において、「電子マネー」ボタン８２が選択されたものとする。なお、決済アプリケーション５３の起動は、予め定められたアドレスを指定することにより行われる。
【００４５】
また、ＰＯＳアプリケーション５２は、決済アプリケーション５３の起動時に、決済金額、決済方法、戻り先アプリケーション（ＰＯＳアプリケーション５２）の指定等の情報を決済アプリケーション５３に送信し、これらの送信後、自身を終了する。
【００４６】
続いて、決済アプリケーション５３は、ＰＯＳアプリケーション５２から受信した情報に基づいて、符号Ｄ２に示す表示を行う。ここで、顧客により、カードリーダー４に電子マネー用ＩＣが翳されると、決済アプリケーション５３は決済を実行し（電子決済サーバー３との通信を行い）、符号Ｄ３に示す表示を行う。ここでは、決済処理が正常に完了した場合の表示例を示している。
【００４７】
符号Ｄ３に示す表示において、「完了」ボタン８３がタッチされると、決済アプリケーション５３は、ＰＯＳアプリケーション５２のアドレスを指定して、ＰＯＳアプリケーション５２を起動する。同時に、決済アプリケーション５３は、ＰＯＳアプリケーション５２に対して決済処理結果を送信し、その後、自身を終了する。
【００４８】
ＰＯＳアプリケーション５２は、決済アプリケーション５３から受信した決済処理結果に基づいて、符号Ｄ４に示す表示を行う。また、特に図示しないが、ＰＯＳアプリケーション５２は、当該表示と、第１プリンター２Ａに対し、決済処理結果をカスタマーディスプレー５に表示する表示コマンドと、会計レシートを印刷する印刷コマンドとを送信する。
【００４９】
次に、図５のフローチャートを参照し、ＰＯＳシステムＳＹによる会計処理の流れについて説明する。まず、タブレット端末１は、ＰＯＳアプリケーション５２により会計処理を行うと（Ｓ０１）、決済方法が電子決済（「クレジット」または「電子マネー」）であるか否かを判別する（Ｓ０２）。
【００５０】
決済方法が電子決済ではないと判定した場合（現金決済の場合）は（Ｓ０２：Ｎｏ）、ＰＯＳアプリケーション５２は、キャッシュドロワー７の開放コマンドを生成し（Ｓ０３）、生成した開放コマンドを第１プリンター２Ａに送信する（Ｓ０４）。第１プリンター２Ａは、当該開放コマンドの受信に伴って、ｅＰＯＳデバイス６１によりキャッシュドロワー７のデバイス制御オブジェクトを生成し（Ｓ０５）、キャッシュドロワー７を開放する（Ｓ０６）。これにより現金決済が行われる。
【００５１】
その後、ＰＯＳアプリケーション５２は、現金決済による決済処理結果に基づいて表示コマンドを生成し（Ｓ０７）、生成した表示コマンドを第１プリンター２Ａに送信する（Ｓ０８）、第１プリンター２Ａは、当該表示コマンドの受信に伴って、ｅＰＯＳデバイス６１によりカスタマーディスプレー５のデバイス制御オブジェクトを生成し（Ｓ０９）、カスタマーディスプレー５に決済処理結果を表示する（Ｓ１０）。
【００５２】
その後、ＰＯＳアプリケーション５２は、現金決済による決済処理結果に基づいて印刷コマンドを生成し（Ｓ１１）、生成した印刷コマンドを第１プリンター２Ａに送信する（Ｓ１２）。第１プリンター２Ａは、当該印刷コマンドの受信に伴って、ｅＰＯＳデバイス６１によりプリンターユニット２２のデバイス制御オブジェクトを生成し（Ｓ１３）、会計レシートを印刷する（Ｓ１４）。これにより、本会計処理を終了する。
【００５３】
一方、Ｓ２に戻り、決済方法が電子決済であると判定した場合は（Ｓ０２：Ｙｅｓ）、決済アプリケーション５３を起動する（Ｓ１５）。その後、決済アプリケーション５３は、決済金額や決済方法を含む電子決済情報送信コマンドを生成し（Ｓ１６）、生成した電子決済情報送信コマンドを第２プリンター２Ｂに送信する（Ｓ１７）。
【００５４】
第２プリンター２Ｂは、タブレット端末１で決済アプリケーション５３が起動されると、ｅＰＯＳデバイス７１によりカードリーダー４のデバイス制御オブジェクトを生成する（Ｓ１８）。なお、第２プリンター２Ｂは、タブレット端末１で動作しているアプリケーションの状態を監視し、決済アプリケーション５３の起動を検出することで、デバイス制御オブジェクトの生成を行っても良いし、決済アプリケーション５３が、自身の起動に伴って、その旨の起動信号を第２プリンター２Ｂに送信する構成でも良い。
【００５５】
第２プリンター２Ｂにより、カードリーダー４のデバイス制御オブジェクトが生成されると、カードリーダー４が使用可能な状態となり、電子決済媒体を読み取る（Ｓ１９）。また、第２プリンター２Ｂは、電子決済情報送信コマンドを受けて、電子決済媒体の読取結果および決済金額を含む電子決済情報を、決済方法に対応した電子決済サーバー３に送信し（Ｓ２０）、電子決済サーバー３から決済実行結果（決済ＯＫ／決済ＮＧ）を受信する（Ｓ２１）。また、受信した決済実行結果を、タブレット端末１に送信する（Ｓ２２）。
【００５６】
タブレット端末１では、決済アプリケーション５３が起動状態となっているため、Ｓ２２にて送信された決済実行結果を決済アプリケーション５３が受信する（Ｓ２３）。その後、決済アプリケーション５３によりＰＯＳアプリケーション５２が起動され、電子決済サーバー３から受信した決済実行結果に基づく決済処理結果が送信される（Ｓ２４）。ＰＯＳアプリケーション５２は、受信した決済処理結果に基づいて表示コマンドを生成し（Ｓ２５）、生成した表示コマンドを第１プリンター２Ａに送信する（Ｓ２６）、第１プリンター２Ａは、当該表示コマンドの受信に伴って、ｅＰＯＳデバイス６１によりカスタマーディスプレー５のデバイス制御オブジェクトを生成し（Ｓ２７）、カスタマーディスプレー５に決済処理結果を表示する（Ｓ２８）。
【００５７】
その後、ＰＯＳアプリケーション５２は、受信した決済処理結果に基づいて印刷コマンドを生成し（Ｓ２９）、生成した印刷コマンドを第１プリンター２Ａに送信する（Ｓ３０）。第１プリンター２Ａは、当該印刷コマンドの受信に伴って、ｅＰＯＳデバイス６１によりプリンターユニット２２のデバイス制御オブジェクトを生成し（Ｓ３１）、会計レシートを印刷する（Ｓ３２）。これにより本会計処理を終了する。
【００５８】
以上説明したとおり、本実施形態によれば、アプリケーションによって、データの送信先が決まっているため、ＰＯＳアプリケーション５２によってコマンドを生成する都度、送信先を指定する必要がない。これにより、ＰＯＳアプリケーション５２の大幅な改変を必要とすることなく、１のタブレット端末１で２以上のプリンター２Ａ，２Ｂに接続されたデバイス（第２プリンター２Ｂに接続されたカードリーダー４を含む）を用いることができる。
【００５９】
また、本実施形態によれば、複数のタブレット端末１を用いた際、第２プリンター２Ｂの電子決済機能を、複数のタブレット端末１で共有することができる。そのため、電子決済機能を頻繁に使わず、複数のプリンターのうち、１台のプリンターに電子決済機能を導入したようなケースにも、好適に対応することができる。
【００６０】
また、第２プリンター２Ｂにより電子決済サーバー３と通信するため、通信装置を別途設ける必要がない。また、第２プリンター２Ｂで、データの入力や、電子決済サーバー３との通信を行うため、タブレット端末１側の制御負荷を軽減できる。
【００６１】
なお、上記の実施形態において、ＰＯＳアプリケーション５２で処理されたデータの送り先（プリンター２Ａ，２Ｂ）、および決済アプリケーション５３から出力されたデータの送り先（プリンター２Ａ，２Ｂ）は、タブレット端末１上で、ユーザーの操作によって設定する構成であっても良い。タブレット端末１が、プリンター２Ａ，２Ｂに接続された周辺機器（デバイス）の情報を取得し、これに基づいて設定する構成であっても良い。
【００６２】
なお、上記の実施形態では、本発明の「制御装置」をプリンター２Ａ，２Ｂで実現したが、プリンター２Ａ，２Ｂに接続可能な中継装置またはプリンター２Ａ，２Ｂに着脱可能なインターフェースボードにより実現しても良い。この場合、図１に示したプリンター制御機構２１，３１およびインターフェース２３，２４，３３，３４，３５、図２に示したｅＰＯＳデバイス６１，７１および電子決済制御モジュール７２、図３に示したディスプレー制御部１５０、ドロワー制御部１６０、第１通信部２１０、第２通信部２２０および入力部２３０は、中継装置またはインターフェースボードに設けられる。
【００６３】
また、上記の実施形態では、タブレット端末１を、ネイティブアプリケーションを用いて制御したが、Ｗｅｂアプリケーションを用いて制御しても良い。この場合、ＰＯＳアプリケーション５２および決済アプリケーション５３は、インターネット上のサーバーに設けられ、且つＯＳ５１が不要となる。
【００６４】
また、上記に示したＰＯＳシステムＳＹの各構成要素をプログラムとして提供することが可能である。また、そのプログラムを各種記録媒体（ＣＤ−ＲＯＭ、フラッシュメモリー等）に格納して提供することも可能である。すなわち、コンピューターをＰＯＳシステムＳＹの各構成要素として機能させるためのプログラム、およびそれを記録した記録媒体も、本発明の権利範囲に含まれる。
【００６５】
また、上記の実施形態では、本発明の「端末」をタブレット端末１に適用したが、他の情報処理端末に適用しても良い。また、本発明の「制御装置」をプリンター２Ａ，２Ｂに適用したが、プリンター２Ａ，２Ｂ以外のＰＯＳ周辺機器（例えば、カスタマーディスプレー５など）に適用しても良い。その他、本発明の要旨を逸脱しない範囲で、適宜変更が可能である。
【符号の説明】
【００６６】
１：タブレット端末、  ２Ａ：第１プリンター、  ２Ｂ：第２プリンター、  ３：電子決済サーバー、  ４：カードリーダー、  ５２：ＰＯＳアプリケーション、  ５３：決済アプリケーション、  １１０：制御部、  １２０：通信部、  ２１０：第１通信部、  ４１０：読取部、  ＳＹ：ＰＯＳシステム
【図１】
2015201025.tif 000003
【図２】
2015201025.tif 000004
【図３】
2015201025.tif 000005
【図４】
2015201025.tif 000006
【図５】
2015201025.tif 000007